(57)【要約】  高い引張強さを有する第１繊維材料と、低い摩擦係数を有する第２繊維材料と、を備え、導管内に挿入されることに適合された装置である。前記材料は、互いに接着されて、インナーダクトを形成している。低い摩擦係数の第３繊維材料が、前記第１材料に接着されて、外側表面が低い摩擦係数を示すインナーダクトを提供し得る。また、インナーダクトまたはプルテープが、高い引張強さの内部コアと、低い摩擦係数の外部シースと、を有する複数本のストランドによって形成され得る。前記複数本のストランドは、一緒に織られて、前記インナーダクトまたはプルテープを形成し得る。
2013539345.tif 000002
【特許請求の範囲】
【請求項１】
所望の引張強さの第１材料部分と、所望の摩擦係数を有する第２材料部分と、を備え、前記第１及び第２材料は、互いに隣接して位置決めされている
ことを特徴とする、導管内に挿入されるべき装置。
【請求項２】
前記第１及び第２材料は、互いに接着されている
ことを特徴とする請求項１に記載の装置。
【請求項３】
前記第１及び第２材料部分は、織物である
ことを特徴とする請求項２に記載の装置。
【請求項４】
前記第１材料部分は、当該装置の一側の面を規定しており、
前記第２材料部分は、当該装置の逆側の面を規定している
ことを特徴とする請求項３に記載の装置。
【請求項５】
前記第１及び第２材料部分は、導管内に挿入されることに適合されたインナーダクトを形成している
ことを特徴とする請求項４に記載の装置。
【請求項６】
所望の低摩擦係数を有する第３材料部分、を更に備え、前記第２材料部分は、前記第１材料部分に接着されており、前記第３材料部分は、前記第１材料部分に接着されている
ことを特徴とする請求項１に記載の装置。
【請求項７】
前記第１、第２及び第３材料部分は、織物である
ことを特徴とする請求項６に記載の装置。
【請求項８】
前記第２材料部分は、当該装置の一側の面を規定しており、
前記第３材料部分は、当該装置の逆側の面を規定している
ことを特徴とする請求項７に記載の装置。
【請求項９】
前記第１、第２及び第３材料部分は、導管内に挿入されることに適合されたインナーダクトを形成している
ことを特徴とする請求項８に記載の装置。
【請求項１０】
前記第１及び第２材料部分は、互いに接着されている時にストランドを形成している
ことを特徴とする請求項２に記載の装置。
【請求項１１】
前記第２材料部分は、前記ストランドの外面を形成している
ことを特徴とする請求項１０に記載の装置。
【請求項１２】
複数本の前記ストランドが一緒に織られて、導管内に挿入されることに適合されたインナーダクトを形成している
ことを特徴とする請求項１１に記載の装置。
【請求項１３】
複数本の前記ストランドが一緒に織られて、導管内に挿入されることに適合されたプルテープを形成している
ことを特徴とする請求項１１に記載の装置。
【請求項１４】
所望の引張強さを有する第１織物材料と、当該第１織物材料に接着されていると共に、所望の摩擦係数を有する第２織物材料と、
を備えたことを特徴とする、導管内に挿入されるべき装置。
【請求項１５】
所望の摩擦係数を有する第１織物材料と、当該第１織物材料に接着されていると共に、所望の引張強さを有する第２織物材料と、当該第２織物材料に接着されていると共に、所望の摩擦係数を有する第３織物材料と、
を備えたことを特徴とする、導管内に挿入されるべき装置。
【請求項１６】
複数本の材料からなるストランドを備え、各前記ストランドは、所望の引張強さを有する材料からなる内部コアと、当該コアの周囲に配置されていると共に、所望の摩擦係数を有する材料からなる外部シースと、を有している
ことを特徴とする、導管内に挿入されるべき装置。
【請求項１７】
複数本の前記ストランドは、一緒に織られて、インナーダクトを形成している
ことを特徴とする請求項１６に記載の装置。
【請求項１８】
複数本の前記ストランドは、一緒に織られて、プルテープを形成している
ことを特徴とする請求項１６に記載の装置。
【発明の詳細な説明】
【技術分野】
【０００１】
本出願は、２０１０年７月２３日に出願された米国特許仮出願第６１／４０３，８０６号に基づく優先権を主張しており、当該仮出願は、全体として参照することにより本明細書に組み込まれる。
【０００２】
本発明は、地下の導管内に配置されると共に、ケーブル又は他の物品をその内部に受け入れることに適合された織物のインナーダクト（ｉｎｎｅｒｄｕｃｔ）の構造に関連する。また、本発明は、前記導管内にケーブルを引き入れるために使用される織物のプルテープ（ｐｕｌｌ  ｔａｐｅ）の構造に関連する。より具体的には、本発明は、前記導管内へのそれ自身の挿入の摩擦を低減する織物の系から作られた、そのようなインナーダクトまたはプルテープに関連する。更に、前記織物の系は、前記インナーダクトの引張強さを高めると共に、前記インナーダクト内へのケーブルの挿入を一層容易にする。
【背景技術】
【０００３】
米国特許第６，２６２，３７１号に示されているような織物のインナーダクトは、情報産業において非常に成功している。これらのインナーダクトは、地下で何マイルにも延び得る導管内に挿入されており、各々の内部にケーブルが容易に挿入され得る１つ又は２つ以上の区画、すなわちセル、を提供している。そのようなインナーダクトは、硬性のインナーダクトの先行技術に比べて顕著な改善を示しているものの、導管内へインナーダクトを挿入する時及び特にケーブルをインナーダクトの区画内へ挿入する時に生成される摩擦を軽減することに改善の余地がある。
【０００４】
これらの織物のインナーダクトは、導管内へ引き入れられることを保証するような引張強さを有していると共に、それと同時にできるだけ低い摩擦抵抗を提供しなければならない。これまで、これらのインナーダクトは、高強度と低摩擦との間の折衷案を提供するようなやり方で、１つの織物材料から織られている。具体的には、これらのインナーダクト用の織物は、典型的には、高い引張強さの材料からなる複数本のストランド（ｓｔｒａｎｄ）が縦糸方向に位置すると共に、低い摩擦係数の材料からなる複数本のストランドが横糸方向に位置する状態で織られている。従って、低摩擦のためにいくらかの強度が失われると共に、強度のためにいくらかの摩擦が受け入れられている。
【０００５】
織物材料から作られたプルテープは、インナーダクトの区画内に位置決めされて、その後に当該区画内へケーブルを引き入れるために使用され得る。インナーダクトと同様に、プルテープは、インナーダクト内へケーブルを引き入れるために必要とされる引張強さを有していなければならない。しかしながら、そのようなプルテープ用の先行技術の材料は、テープの移動の容易性を犠牲にするような引張強さを提供している。
【０００６】
従って、高い引張強さと同時に低い摩擦を提供する織物から作られたインナーダクトまたはプルテープの必要性が存在する。
【発明の概要】
【０００７】
従って、本発明の一態様の目的は、２つの織物から作られており、一方は高い引張強さを有し、他方は低い摩擦係数を有する、インナーダクトまたはプルテープの形状のような、導管内に導入されるべき装置を提供することである。
【０００８】
本発明の別の態様の目的は、外側表面が低い摩擦係数を有する材料から作られていると共に、内側部分として高い引張強さを有する材料から作られている、前述のような装置を提供することである。
【０００９】
既存の先行技術の形状に対する利点と同様に、後述の記載から明らかになる本発明のこれらの目的及び他の目的は、これ以後に記載され且つ請求されている改善点によって達成される。
【００１０】
一般に、導管内に挿入されるべき装置は、所望の引張強さの第１材料部分と、所望の摩擦係数を有する第２材料部分と、を備えている。前記第１及び第２材料部分は、互いに隣接して位置決めされている。
【００１１】
本発明の一つの特定の態様に対応して、導管内に挿入されるべき装置は、所望の引張強さを有する第１織物材料と、当該第１織物材料に接着されていると共に、所望の摩擦係数を有する第２織物材料と、を備えている。
【００１２】
本発明の別の態様によれば、導管内に挿入されるべき装置は、所望の摩擦係数を有する第１織物材料と、当該第１織物材料に接着されていると共に、所望の引張強さを有する第２織物材料と、を備えている。第３織物材料が、第２織物材料に接着されていると共に、所望の摩擦係数を有している。
【００１３】
本発明の更に別の態様に従って、導管内に挿入されるべき装置は、材料からなる複数本のストランドを備えている。各前記ストランドは、所望の引張強さを有する材料からなる内部コアと、当該コアの周囲に配置されていると共に、所望の摩擦係数を有する材料からなる別のシースと、を有している。
【００１４】
本発明の概念によるインナーダクトまたはプルテープの形状の好ましい例示的な装置が、当該発明が具体化され得る様々な形状及び変更の全てを示そうと試みることなく、付随する図面に一例として示されており、当該発明は、本明細書の詳細な説明によってではなく、添付の特許請求の範囲の請求項によって評価される。
【図面の簡単な説明】
【００１５】
【図１】図１は、本発明に従って形成されたインナーダクトの概略的かつ断片的な側面図である。
【図２】図２は、図１の２−２線に実質的に沿って得られた断面図である。
【図３】図３は、図２の丸で囲まれて図３とラベルを付された部分の拡大図である。
【図４】図４は、図２の丸で囲まれて図４とラベルを付された部分の拡大図である。
【図５】図５は、図２の５−５線に実質的に沿って得られた拡大部分断面図であり、本発明に従って形成されたプルテープの断面図をも示している。
【発明を実施するための形態】
【００１６】
地下の導管内に受け入れられると共に本発明に従って作られたインナーダクトは、符号１０によって概して示されている。インナーダクト１０は、好ましくは織物材料から作られており、本発明の十分な理解に必要とされ得る如何なる詳細のためにも参照され得る米国特許第６，２６２，３７１号に記載されたタイプであり得る。
【００１７】
インナーダクト１０は、符号１１、１２及び１３によって概して示されているように、複数のセルで構成されているように示されている。しかしながら、多くの場合、そのようなインナーダクトは、ただ一つのセルを有し得るか、または何個であってもよいが複数のセルを有し得て、ここでは３個のセルが示されている。セル１１は、ケーブルまたは同様の物品を受け入れるための区画１６を形成するようにステッチ１５によってそれ自身の端部に接着された織物材料１４で構成されている。セル１２は、セル１１の材料１４の端部を接着する同じステッチ１５によってそれ自身の端部に接着された織物材料１７で構成されている。従って、区画１８が、ケーブルまたは同様の物品を受け入れるためにセル１２内に形成されている。同様に、セル１３は、セル１１、１２及び１３が全て互いに接着されるように、ステッチ１５によってそれ自身の端部に接着され得る織物材料１９で構成されている。区画２０は、ケーブルまたは同様の物品を受け入れるためにセル１３内に形成されている。
【００１８】
図３に最良に示されるように、セル１１の織物材料１４は、２層の織物材料から形成されているように示されており、外側の層２１は高い引張強さの材料からなり、内側の層２２は低い摩擦係数を有する材料からなる。本実施の形態では、高い引張強さの材料は、約２３０ポンド毎インチ以上の引張強さを有する材料であり、低い摩擦係数を有する材料は、約０．１０〜約０．１５の摩擦係数を有する材料である。結果として、層２１は、強度を有する面をセル１１に提供する一方、層２２は、所望の摩擦係数を有する面を提供することによって、ケーブルまたは他の物品がその内部に容易に挿入されることを可能にする。層２１及び２２は、縫製、熱接着（ｈｅａｔ  ｂａｄｉｎｇ）のようなあらゆる適切な手段によって、または接着剤によって、互いに接着され得る。インナーダクト１０の他のセルは全てセル１１の２層コンセプトであり得るが、本記載の目的で、他の２つのセル１２及び１３は、異なって構成されているように示されている。
【００１９】
例えば、図４に最良に示されるように、セル１３の織物材料１９は、３層の織物材料から形成されているように示されている。内側の層２３及び外側の層２４は、低い摩擦係数の材料から作られた材料であり、一方、中央の層２５は、層２３及び２４の間に挟まれていて、所望の高い引張強さを有する材料から作られている。結果として、層２５は、セル１３に強度を提供し、層２３は、面を提供すると共にケーブルまたは他の物品がセル１３内に容易に挿入されることを可能にし、層２４は、導管内にセル１３を挿入することを容易にする面を提供する。層２３、２４及び２５は、層２１及び２２と同じやり方で、互いに接着され得る。前記に示されたように、セル１３は３層２３、２４及び２５を有しているように記載されているが、セル１１及び１２は同様に構成され得る。
【００２０】
図５に最良に示されるように、セル１２またはプルテープの織物材料１７は、２つの異なる材料から共押出（ｃｏ−ｅｘｔｒｕｄｅｄ）されてセル１２またはプルテープを形成するように織られた材料１７のストランド２６から作られ得る。すなわち、材料１７のストランド２６の各々は、所望の高い引張強さを有する材料から作られた内部コア２７と、所望の低い摩擦係数を有する材料から作られた外部シース２８と、を有している。従って、材料１７の両側の外側表面は、織られた時、導管内への挿入を容易にすること及びケーブルまたは他の物品のセル１２内への挿入を容易にすることの両方を達成するような低い摩擦を提供する。それと同時に、コア２７は、セル１２のために必要な強度を提供する。前記に示されたように、セル１２はこれらの独特なストランド２６から織られているように記載されているが、セル１１及び１３は同様に構成され得る。
【図１】
2013539345.tif 000003
【図２】
2013539345.tif 000004
【図３】
2013539345.tif 000005
【図４】
2013539345.tif 000006
【図５】
2013539345.tif 000007
【国際調査報告】
2013539345.tif 000008
2013539345.tif 000009
2013539345.tif 000010
2013539345.tif 000011